(57)【要約】      （修正有）【課題】短尺の収納物は勿論、長尺の収納物に対する収納態様を使い分けることができ、特に長尺の収納物であっても、安定して保持しつつ運搬することが可能な収納袋を提供する。【解決手段】第２取手部２１を露出したまま袋本体２に収納物を入れ第１取手部１１を把持する第１使用態様と、第１取手部１１及び第２取手部１２より第１取手部１１側の袋本体２の領域をこの袋本体２内に折込み、袋本体２内に収納物を入れ第２取手部２１を把持する第２使用態様と、袋本体２の開口端から突出するような長尺の収納物を袋本体２に入れて、一対の各第１取手部１１の各取手片を、当該各第１取手部と同一側面に突設した各第２取手部２１の各取手片内に、くぐらせて掛け渡した状態で、袋本体２の開口端から突出するような長尺の収納物の部分を収束しつつ、第１取手部１１を保持する第３使用態様と、に使い分けるように構成した。【選択図】図１
0003138338.tif 000002
【実用新案登録請求の範囲】
【請求項１】
有底の袋本体と、
この袋本体の開口端に表裏対称に突設した一対構成の第１取手部と、
袋本体の両外面における前記一対構成の第１取手部の下側位置に表裏対称に突設した一対構成の第２取手部と、
を有することを特徴とする二段取手付収納袋。
【請求項２】
有底の袋本体と、
この袋本体の開口端に表裏対称に突設した一対構成の第１取手部と、
袋本体の両外面における前記一対構成の第１取手部の下側位置に表裏対称に突設した一対構成の第２取手部と、
を有し、
前記第２取手部を露出したまま袋本体に収納物を入れて、前記第１取手部を把持する第１使用態様と、
前記第１取手部、及び前記第２取手部よりも上位に位置する第１取手部側の袋本体の領域を、この袋本体内に折込み、袋本体内に収納物を入れて、第２取手部を把持する第２使用態様と、
前記袋本体の開口端から突出するような長尺の収納物を袋本体に入れて、前記一対の各第１取手部の各取手片を、当該各第１取手部と同一側面に突設した前記各第２取手部の各取手片内に、くぐらせて掛け渡した状態で、前記袋本体の開口端から突出するような長尺の収納物の部分を収束しつつ、第１取手部を保持する第３使用態様と
に使い分けるようにしたことを特徴とする二段取手付収納袋。
【請求項３】
有底の袋本体と、
この袋本体の開口端に表裏対称に突設した一対構成の第１取手部と、
袋本体の両外面における前記一対構成の第１取手部の下側位置に表裏対称に突設した一対構成の第２取手部と、
を有し、
前記袋本体を、前記第２取手部の位置を境として底部側と前記第１取手部側とで色分けするとともに、
前記第２取手部を露出したまま袋本体に収納物を入れて、前記第１取手部を把持する第１使用態様と、
前記第１取手部、及び前記第２取手部よりも上位に位置する第１取手部側の袋本体の領域を、この袋本体内に折込み、袋本体内に収納物を入れて、第２取手部を把持する第２使用態様と、
前記袋本体の開口端から突出するような長尺の収納物を袋本体に入れて、前記一対の各第１取手部の各取手片を、当該各第１取手部と同一側面に突設した前記各第２取手部の各取手片内に、くぐらせて掛け渡した状態で、前記袋本体の開口端から突出するような長尺の収納物の部分を収束しつつ、第１取手部を保持する第３使用態様と
に使い分けるようにしたことを特徴とする二段取手付収納袋。
【請求項４】
ポリエステル布材を素材とする有底の袋本体と、
この袋本体の開口端に表裏対称に突設した一対構成のポリエステル布材を素材とする第１取手部と、
袋本体の両外面における前記一対構成の第１取手部の下側位置に表裏対称に突設した一対構成のポリエステル布材を素材とする第２取手部と、
を有し、
前記袋本体を、前記第２取手部の位置を境として底部側を青色に、第１取手部側を赤色に、第１取手部及び第２取手部を青色に各々色分けするとともに、
前記第２取手部を露出したまま袋本体に収納物を入れて、前記第１取手部を把持する第１使用態様と、
前記第１取手部、及び前記第２取手部よりも上位に位置する第１取手部側の袋本体の領域を、この袋本体内に折込み、袋本体内に収納物を入れて、第２取手部を把持する第２使用態様と、
前記袋本体の開口端から突出するような長尺の収納物を袋本体に入れて、前記一対の各第１取手部の各取手片を、当該各第１取手部と同一側面に突設した前記各第２取手部の各取手片内に、くぐらせて掛け渡した状態で、前記袋本体の開口端から突出するような長尺の収納物の部分を収束しつつ、第１取手部を保持する第３使用態様と
に使い分けるようにしたことを特徴とする二段取手付収納袋。
【考案の詳細な説明】
【技術分野】
【０００１】
本考案は、二段取手付収納袋に関し、短尺の収納物は勿論、長尺の収納物（例えば花束、大根等々）に対する収納態様を使い分けることができる斬新な二段取手付収納袋に関するものである。
【背景技術】
【０００２】
例えば、スーパーマーケット等にて各種物品の買物を行った場合、当該物品を略長方形状の外観を呈し、一対の取手を有する布製等のショッピングバッグ内に収納して持ち帰ることが日常的に行われている。
【０００３】
しかし、通常のショッピングバッグの場合、その形状は画一的であり、単に各種物品をその内部に収納するだけの機能を有するだけのものが殆どである。
【０００４】
このため、例えば花束、大根等々のようにある程度長尺の物品を買った場合、ショッピングバッグの上端から長尺の物品がはみ出して不安定状態となり、取手を把持しての運搬に不便を来たしていた。
【０００５】
特許文献１には、チューブ状の樹脂フィルムを素材としてこれを手提げ片付きの上部が開口した袋状に形成し、更に、開口部を覆う蓋片を付加して雨水が袋内に侵入することを防止するように構成した晴雨兼用ショッピングバッグが提案されている。
【０００６】
しかし、この特許文献１の場合も、その形状は画一的であり、長尺の物品を収納しての運搬までを配慮したものではない。
【特許文献１】特開平９−２８６４４２号公報
【考案の開示】
【考案が解決しようとする課題】
【０００７】
本考案が解決しようとする問題点は、短尺の収納物、長尺の収納物（例えば花束、大根等々）に対する収納態様を使い分けることができ、特に長尺の収納物であっても安定して保持しつつ運搬することが可能な収納袋が存在しない点である。
【課題を解決するための手段】
【０００８】
本考案に係る二段取手付収納袋は、有底の袋本体と、この袋本体の開口端に表裏対称に突設した一対構成の第１取手部と、袋本体の両外面における前記一対構成の第１取手部の下側位置に表裏対称に突設した一対構成の第２取手部と、を有することを最も主要な特徴とする。
【考案の効果】
【０００９】
請求項１記載の考案によれば、有底の袋本体と、この袋本体の開口端に表裏対称に突設した一対構成の第１取手部と、袋本体の両外面における前記一対構成の第１取手部の下側位置に表裏対称に突設した一対構成の第２取手部と、を有する構成としたので、後述するような複数の使用態様に対応できる二段取手付収納袋を提供することができる。
【００１０】
請求項２記載の考案によれば、請求項１記載の考案と同様な構成の基に、前記第２取手部を露出したまま袋本体に収納物を入れて、前記第１取手部を把持する第１使用態様と、前記第１取手部、及び前記第２取手部よりも上位に位置する第１取手部側の袋本体の領域を、この袋本体内に折込み、袋本体内に収納物を入れて、第２取手部を把持する第２使用態様と、前記袋本体の開口端から突出するような長尺の収納物を袋本体に入れて、前記一対の各第１取手部の各取手片を、当該各第１取手部と同一側面に突設した前記各第２取手部の各取手片内に、くぐらせて掛け渡した状態で、前記袋本体の開口端から突出するような長尺の収納物の部分を収束しつつ、第１取手部を保持する第３使用態様と、に使い分けることができ、特に長尺の収納物であっても安定して保持しつつ運搬することが可能な収納袋を提供することができる。
【００１１】
請求項３記載の考案によれば、請求項２記載の考案と同様な効果を奏するとともに、袋本体を、第２取手部の位置を境として底部側と第１取手部側とで色分けしているので、外観体裁が斬新で見栄えのする二段取手付収納袋を提供することができる。
【００１２】
請求項４記載の考案によれば、ポリエステル布材を素材とする構成で請求項２記載の考案と同様な効果を奏するとともに、各部の色分けにより請求項３記載の考案と同様、外観体裁が斬新で見栄えのする二段取手付収納袋を提供することができる。
【考案を実施するための最良の形態】
【００１３】
本考案は、短尺の収納物は勿論、長尺の収納物に対する収納態様を使い分けることができ、特に長尺の収納物であっても安定して保持しつつ運搬することが可能な収納袋を提供するという目的を有するものである。
【００１４】
本考案に係る二段取手付収納袋は、有底の袋本体と、この袋本体の開口端に表裏対称に突設した一対構成の第１取手部と、袋本体の両外面における前記一対構成の第１取手部の下側位置に表裏対称に突設した一対構成の第２取手部と、を有し、前記第２取手部を露出したまま袋本体に収納物を入れ第１取手部を把持する第１使用態様と、前記第１取手部及び第２取手部より第１取手部側の袋本体の領域をこの袋本体内に折込み、袋本体内に収納物を入れ第２取手部を把持する第２使用態様と、前記袋本体の開口端から突出するような長尺の収納物を袋本体に入れて、前記一対の各第１取手部の各取手片を、当該各第１取手部と同一側面に突設した前記各第２取手部の各取手片内に、くぐらせて掛け渡した状態で、前記袋本体の開口端から突出するような長尺の収納物の部分を収束しつつ、第１取手部を保持する第３使用態様と、に使い分けるようにした構成により上記目的を実現した。
【実施例】
【００１５】
以下に、本考案の実施例に係る二段取手付収納袋について図面を参照して詳細に説明する。
【００１６】
本実施例に係る二段取手付収納袋１は、図１に示すように、ポリエステル布材を素材とする有底で正面形状が略正方形状を呈する袋本体２と、この袋本体２の開口端に表裏対称に突設した一対構成のポリエステル布材を素材とする第１取手部１１と、前記袋本体２の両外面における前記一対構成の第１取手部１１の下側位置に表裏対称に突設した一対構成のポリエステル布材を素材とする第２取手部２１と、を有している。
【００１７】
前記袋本体２は、有底で正面から見て両側下端部を斜めに切欠した形状とした下部袋状部３と、この下部袋状部３の上端部全体に渡って一体に縫製した上部筒状部４とから形成している。
【００１８】
前記袋本体２の寸法としては、図１に示す正面から見た幅寸法Ｌ１を４００ｍｍ、正面から見た高さ寸法Ｌ２を４００ｍｍ、下部袋状部３の正面から見た高さ寸法Ｌ３を２５０ｍｍ、上部筒状部４の正面から見た高さ寸法Ｌ４を１５０ｍｍとする例を挙げることができる。
【００１９】
前記第１取手部１１は、ポリエステル布材を素材とする例えば幅２５ｍｍの一対の帯状片を用いて、これらを取手片１１ａ、１１ｂとして各々の両端を上部筒状部４の上端部に表裏対称配置に縫製することで上部筒状部４に一体的に取り付け、逆Ｕ状に突出するように構成している。また、取手片１１ａ、１１ｂの取手長さ（全長）は例えば４５０ｍｍとしている。
【００２０】
前記第２取手部２１は、ポリエステル布材を素材とする例えば幅２５ｍｍの一対の帯状片を用いて、これらを取手片２１ａ、２１ｂとして各々の両端を下部袋状部３の上端部に表裏対称配置に縫製することで下部袋状部３に一体的に取り付け、前記上部筒状部４の外面側方に逆Ｕ状に突出するように構成している。また、取手片２１ａ、２１ｂの取手長さ（全長）は例えば３５０ｍｍとしている。
【００２１】
また、本実施例に係る二段取手付収納袋１においては、前記袋本体２を、前記第２取手部２１の位置を境として、下部袋状部３側を青色に着色したポリエステル布材を用いて形成し、上部筒状部４側を赤色に着色したポリエステル布材を用いて形成してこれらを色分けしている。
【００２２】
更に、前記第１取手部１１及び第２取手部２１は、いずれも青色に着色したポリエステル布材を用いて形成している。
【００２３】
図２は、本実施例に係る二段取手付収納袋１における下部袋状部３の底部の形状を示すものであり、底部中央に表裏方向の寸法Ｌ５が例えば１２０ｍｍ程度の四角形状の底片部３ａを形成している。
【００２４】
図３は、本実施例に係る二段取手付収納袋１において、前記袋本体２を構成する上部筒状部４及び第１取手部１１を下部袋状部３内に折込み、下部袋状部３及び第２取手部２１のみが外部に表出する状態を示すものである。
【００２５】
次に、上述した構成からなる本実施例に係る二段取手付収納袋１の具体的使用態様について、図４乃至図６を参照して詳述する。
【００２６】
図４は、第１使用態様を示すものであり、この場合には、前記第２取手部２１を露出したまま袋本体２を上下方向に最大に伸ばした状態でその内部に収納物を入れた場合を示している。
【００２７】
この場合には、本実施例に係る二段取手付収納袋１を最大収納容量としてその内部に大量の収納物を入れ、前記第１取手部１１を把持して運搬することができる。
【００２８】
図５は、第２使用態様を示すものであり、この場合には、図３に示す場合に対応し、前記第２取手部２１より上側の上部筒状部４及び第１取手部１１を下部袋状部３内に折込んだ状態、すなわち、上下方向の寸法を小さくした状態で、その内部に少量の収納物を入れた場合を示している。この場合には、前記第２取手部２１を把持して収納物を運搬することができる。
【００２９】
図６は、第３使用態様を示すものであり、この場合には、前記袋本体２内に例えば長尺の収納物１０（例えば花束、大根等々）を入れ、袋本体２の開口端から突出する長尺の収納物１０の一部分を、前記第２取手部２１の取手片２１ａ、２１ｂを、第１取手部１１の取手片１１ａ、１１ｂの基端部の外側に掛け渡すことにより保持するようにしたものである。換言すると、この第３使用態様は、前記袋本体２の開口端から突出するような長尺の収納物１０を袋本体２に入れて、前記一対の各第１取手部１１の各取手片１１ａ、１１ｂを、当該各第１取手部と同一側面に突設した前記各第２取手部２１の各取手片２１ａ、２１ｂ内に、くぐらせて掛け渡した状態で、前記袋本体２の開口端から突出するような長尺の収納物１０の部分を収束しつつ、第１取手部１１を保持するようにしたものである。
【００３０】
この場合には、収納物１０の大部分が袋本体２内に収まるとともに、収納物１０の一部分の周囲が前記第２取手部２１の取手片２１ａ、２１ｂと、第１取手部１１の取手片１１ａ、１１ｂとによって保持されるので、第１取手部１１を把持することで長尺の収納物１０を安定して保持しつつ運搬することができる。
【００３１】
上述したように、本実施例に係る二段取手付収納袋１によれば、短尺の収納物、長尺の収納物１０する収納態様を適宜分けることができ、特に長尺の収納物１０も安定して保持しつつ運搬することが可能であるという顕著な効果を奏する。
【００３２】
また、本実施例において、袋本体２を構成する下部袋状部３側を青色に、上部筒状部４側を赤色に着色し、更に、前記第１取手部１１及び第２取手部２１は、いずれも青色に着色して全体を色分けすることによって、外観体裁が斬新で見栄えのする二段取手付収納袋１とすることができる。
【００３３】
なお、これら各部の色分の態様は上記実施例に限定されるものではなく、白色と黒色の組み合わせ、赤色と白色の組み合わせ等を採用でき、更には、黒一色、青一色等の一色のみの構成を採用することももちろん可能である。
【産業上の利用可能性】
【００３４】
本考案の二段取手付収納袋は、上述したような例えば各種の花束、大根等々の運搬に好適な他、例えば円筒状に丸めた長尺の図面、図画用紙等の保持運搬用として広範に応用可能である。
【図面の簡単な説明】
【００３５】
【図１】本考案の実施例に係る二段取手付収納袋の最大伸ばし状態の正面図である。
【図２】本考案の実施例に係る二段取手付収納袋の底部片を示す部分図である。
【図３】本考案の実施例に係る二段取手付収納袋における上部筒状部及び第１取手部を下部袋状部内に折込んだ状態を示す正面図である。
【図４】本考案の実施例に係る二段取手付収納袋の第１使用態様を示す概略斜視図である。
【図５】本考案の実施例に係る二段取手付収納袋の第２使用態様を示す概略斜視図である。
【図６】本考案の実施例に係る二段取手付収納袋の第３使用態様を示す概略正面図である。
【符号の説明】
【００３６】
１    二段取手付収納袋
２    袋本体
３    下部袋状部
３ａ  底片部
４    上部筒状部
１０    収納物
１１    第１取手部
１１ａ  取手片
１１ｂ  取手片
２１    第２取手部
２１ａ  取手片
２１ｂ  取手片
【図１】
0003138338.tif 000003
【図２】
0003138338.tif 000004
【図３】
0003138338.tif 000005
【図４】
0003138338.tif 000006
【図５】
0003138338.tif 000007
【図６】
0003138338.tif 000008